(57)【要約】【課題】小屋裏部屋の内面の段差等を無くすことにより小屋裏部屋の外観品質（仕上げ品質）を向上させることができる小屋裏部屋構造体及び施工時間を短縮することができる小屋裏部屋構造体の施工方法を得る。【解決手段】小屋裏部屋構造体２２の水平天井３２と斜め天井３０との間の隙間４６並びに斜め天井３０と垂直壁２８との間の隙間５２に、先端部がテーパ形状に形成された長尺状の勾配調整木材を介装し、釘で固定した。勾配調整木材の先端部のテーパ角度は隙間４６、５２の角度に一致している。従って、石膏ボード３６、４０、４４の内側面に段差等が生じなく、小屋裏空間２４の外観品質（仕上げ品質）を向上させることができる。また、従来のビス固定から釘固定に変更できる等の理由から施工時間を短縮することができる。【選択図】    図２
2006028790.tif 000002
【特許請求の範囲】
【請求項１】
建物本体部と屋根部との間のスペースに設置され、少なくとも床面に対して垂直に配置された垂直壁及びこの垂直壁に対して斜めに配置された斜め天井を含んで構成された小屋裏部屋構造体であって、
前記垂直壁と前記斜め天井との接合端面間の隙間に、両端面の交差角に一致するテーパ形状部を有する勾配調整部材を介装させ、当該勾配調整部材を垂直壁と斜め天井とに釘にて固定した、
ことを特徴とする小屋裏部屋構造体。
【請求項２】
建物本体部と屋根部との間のスペースに設置され、少なくとも床面に対して水平に配置された水平天井及びこの水平天井に対して斜めに配置された斜め天井を含んで構成された小屋裏部屋構造体であって、
前記水平天井と前記斜め天井との接合端面間の隙間に、両端面の交差角に一致するテーパ形状部を有する勾配調整部材を介装させ、当該勾配調整部材を水平天井と斜め天井に釘にて固定した、
ことを特徴とする小屋裏部屋構造体。
【請求項３】
前記水平天井の端部には前記勾配調整部材が予め固定されており、
前記斜め天井における水平天井側の端部には組付時に当該勾配調整部材に係止されて斜め天井を組付位置に保持するための係止部材が設けられている、
ことを特徴とする請求項２記載の小屋裏部屋構造体。
【請求項４】
少なくとも床面に対して垂直に配置された垂直壁と床面に対して平行に配置された水平天井と垂直壁の上端部と水平天井の端部との間に斜めに掛け渡される斜め天井とを含んで構成された小屋裏部屋構造体を、建物本体部と屋根部との間のスペースに設置する際に適用される小屋裏部屋構造体の施工方法であって、
水平天井の端部に斜め天井の上端部との間の隙間を埋める第１の勾配調整部材を予め固定し、
斜め天井の下端部に垂直壁の上端部との間の隙間を埋める第２の勾配調整部材を予め固定すると共に、当該斜め天井の上端部に組付時に前記第１の勾配調整部材に係止される係止部材を予め設定しておき、
床面に垂直壁を立設させると共に水平天井を所定の組付位置に保持した後に、係止部材を第１の勾配調整部材に係止させつつ第２の勾配調整部材を垂直壁の上端部にセットすることで斜め天井を垂直壁の上端部と水平天井の端部との間に組付け、その後に各部の本固定を行う、
ことを特徴とする小屋裏部屋構造体の施工方法。
【発明の詳細な説明】
【技術分野】
【０００１】
本発明は、建物本体部と屋根部との間のスペースに設置される小屋裏部屋構造体及びその施工方法に関する。
【背景技術】
【０００２】
従来から、住宅ニーズの多様化を背景として、住宅の小屋裏空間を有効活用することが行われている。
【０００３】
ここで、下記特許文献１には、小屋裏空間を有効活用する際に有効な仕上げに関する技術が開示されている。簡単に説明すると、図２５に示されるように、この先行技術では、垂直に配置された壁１５０に対して山形となるように斜めに配置された左右一対の下地用ボード１５２、１５４を含んで構成された勾配天井１５６に対し、硬質プラスチック製の複数種類の天井下地ジョイナ１５８、１６０を配設し、その上で化粧シート１６２が貼着されて仕上げがなされている。
【０００４】
より具体的には、壁１５０と下地用ボード１５２とが交差する部分では、垂直に配置され釘で壁１５０に固定される取付部１５８Ａと、この取付部１５８Ａの中間部から斜め方向へ延出されると共に釘で野縁１６４に固定される略コ字状断面の挟持部１５８Ｂと、によって構成された天井下地ジョイナ１５８が使用される。取付部１５８Ａと挟持部１５８Ｂとの接続部位には略Ｖ字状の切り込み１６６が形成されており、壁１５０と下地用ボード１５２との交差角に適合するようになっている。
【０００５】
また、下地用ボード１５２、１５４同士が交差する部分では、略Ｖ字状に形成され釘で野縁１６８に固定される取付部１６０Ａと、この取付部１６０Ａの下端部から互いに離反する方向へ延出されと共に釘で野縁１６８に固定される略コ字状断面の挟持部１６０Ｂと、によって構成された天井下地ジョイナ１６０が使用される。取付部１６０Ａの下端部にはＶ字状の切り込み１７０が形成されており、隣接する下地用ボード１５２、１５４の交差角に適合するようになっている。
【特許文献１】実開平５−３５９２３号公報
【発明の開示】
【発明が解決しようとする課題】
【０００６】
しかしながら、上記先行技術による場合、天井下地ジョイナ１５８、１６０を用いて下地用ボード１５２、１５４を壁１５０、野縁１６４、１６８に固定した後、室内側から化粧シート１６２を貼着する構成であるため、小屋裏空間１７２の外観品質（仕上げ品質）が低下するという問題がある。
【０００７】
すなわち、天井下地ジョイナ１５８、１６０を用いて下地用ボード１５２、１５４を壁１５０や野縁１６４、１６８に固定して支えるためには、天井下地ジョイナ１５８、１６０にある程度の強度が必要となるが、そのためには天井下地ジョイナ１５８、１６０の板厚を厚くする必要がある。従って、下地用ボード１５２、１５４と天井下地ジョイナ１５８、１６０の挟持部１５８Ｂ、１６０Ｂの下部との間、並びに壁１５０と天井下地ジョイナ１６０の取付部１６０Ａの下部との間に段差１７４、１７６がそれぞれ生じる。その結果、化粧シート１６２を貼着しても、段差１７４、１７６が形成された部位が目に付くので、小屋裏空間１７２の外観品質（仕上げ品質）が低下するという問題がある。
【０００８】
本発明は上記事実を考慮し、小屋裏部屋の内面の段差等を無くすことにより小屋裏部屋の外観品質（仕上げ品質）を向上させることができる小屋裏部屋構造体及び施工時間を短縮することができる小屋裏部屋構造体の施工方法を得ることが目的である。
【課題を解決するための手段】
【０００９】
請求項１記載の本発明に係る小屋裏部屋構造体は、少なくとも床面に対して垂直に配置された垂直壁及びこの垂直壁に対して斜めに配置された斜め天井を含んで構成された小屋裏部屋構造体であって、前記垂直壁と前記斜め天井との接合端面間の隙間に、両端面の交差角に一致するテーパ形状部を有する勾配調整部材を介装させ、当該勾配調整部材を垂直壁と斜め天井とに釘にて固定した、ことを特徴としている。
【００１０】
請求項２記載の本発明に係る小屋裏部屋構造体は、建物本体部と屋根部との間のスペースに設置され、少なくとも床面に対して水平に配置された水平天井及びこの水平天井に対して斜めに配置された斜め天井を含んで構成された小屋裏部屋構造体であって、前記水平天井と前記斜め天井との接合端面間の隙間に、両端面の交差角に一致するテーパ形状部を有する勾配調整部材を介装させ、当該勾配調整部材を水平天井と斜め天井に釘にて固定した、ことを特徴としている。
【００１１】
請求項３記載の本発明に係る小屋裏部屋構造体は、請求項２記載の発明において、前記水平天井の端部には前記勾配調整部材が予め固定されており、前記斜め天井における水平天井側の端部には組付時に当該勾配調整部材に係止されて斜め天井を組付位置に保持するための係止部材が設けられている、ことを特徴としている。
【００１２】
請求項４記載の本発明に係る小屋裏部屋構造体の施工方法は、少なくとも床面に対して垂直に配置された垂直壁と床面に対して平行に配置された水平天井と垂直壁の上端部と水平天井の端部との間に斜めに掛け渡される斜め天井とを含んで構成された小屋裏部屋構造体を、建物本体部と屋根部との間のスペースに設置する際に適用される小屋裏部屋構造体の施工方法であって、水平天井の端部に斜め天井の上端部との間の隙間を埋める第１の勾配調整部材を予め固定し、斜め天井の下端部に垂直壁の上端部との間の隙間を埋める第２の勾配調整部材を予め固定すると共に、当該斜め天井の上端部に組付時に前記第１の勾配調整部材に係止される係止部材を予め設定しておき、床面に垂直壁を立設させると共に水平天井を所定の組付位置に保持した後に、係止部材を第１の勾配調整部材に係止させつつ第２の勾配調整部材を垂直壁の上端部にセットすることで斜め天井を垂直壁の上端部と水平天井の端部との間に組付け、その後に各部の本固定を行う、ことを特徴としている。
【００１３】
請求項１記載の本発明によれば、建物本体部と屋根部とのスペースには、少なくとも床面に対して垂直に配置された垂直壁及びこの垂直壁に対して斜めに配置された斜め天井を含んで構成された小屋裏部屋構造体が設置される。
【００１４】
ここで、本発明では、垂直壁と斜め天井との接合端面間の隙間に両端面の交差角に一致するテーパ形状部を有する勾配調整部材が介装され、当該勾配調整材は釘で垂直壁及び斜め天井に固定される。このため、勾配調整部材は垂直壁及び斜め天井から小屋裏部屋内へ露出しない。従って、従来技術のように小屋裏部屋の内面に段差等が生じることもない。その結果、仕上げ材等を使った仕上げ面がフラットな面で良好に仕上がる。
【００１５】
請求項２記載の本発明によれば、建物本体部と屋根部とのスペースには、少なくとも床面に対して水平に配置された水平天井及びこの水平天井に対して斜めに配置された斜め天井を含んで構成された小屋裏部屋構造体が設置される。
【００１６】
ここで、本発明では、水平天井と斜め天井との接合端面間の隙間に、両端面の交差角に一致するテーパ形状部を有する勾配調整部材を介装させ、当該勾配調整部材は水平天井及び斜め天井に釘にて固定される。このため、勾配調整部材は水平天井及び斜め天井から小屋裏部屋内へ露出しない。従って、従来技術のように小屋裏部屋の内面に段差等が生じることもない。その結果、仕上げ材等を使った仕上げ面がフラットな面で良好に仕上がる。
【００１７】
請求項３記載の本発明によれば、水平天井の端部には勾配調整部材が予め固定されており、斜め天井における水平天井側の端部には係止部材が設けられているので、斜め天井を組付ける際には、水平天井に固定された勾配調整部材に係止部材を係止させることにより、斜め天井を所定の組付位置に保持することが可能となる。
【００１８】
ここで、斜め天井は床面に対して斜めに配置されるため、一般には組付位置（セット位置）に保持するのに手間がかかる。しかし、本発明のように係止部材で勾配調整部材に係止させるようにすれば、斜め天井の取付作業の作業効率が格段に向上する。
【００１９】
請求項４記載の本発明によれば、まず、下準備として、水平天井の端部に、斜め天井の上端部との間の隙間を埋める第１の勾配調整部材を予め固定しておく。また、斜め天井の下端部に、垂直壁の上端部との間の隙間を埋める第２の勾配調整部材を予め固定しておく。さらに、斜め天井の上端部に、組付時に第１の勾配調整部材に係止される係止部材を予め設定しておく。
【００２０】
そして、建物本体部と屋根部との間のスペースの床面に垂直壁を立設させると共に、床面に対して水平に水平天井を所定の組付位置に保持する。その後、係止部材を第１の勾配調整部材に係止させつつ第２の勾配調整部材を垂直壁の上端部にセットすることにより、斜め天井が垂直壁の上端部と水平天井の端部との間に位置決めされた状態で組付けられる。その後、各部の本固定が行われることにより、小屋裏部屋構造体が形成される。
【発明の効果】
【００２１】
以上説明したように、請求項１記載の小屋裏部屋構造体は、建物本体部と屋根部との間のスペースに設置され、少なくとも床面に対して垂直に配置された垂直壁及びこの垂直壁に対して斜めに配置された斜め天井を含んで構成された小屋裏部屋構造体において、垂直壁と斜め天井との接合端面間の隙間に、両端面の交差角に一致するテーパ形状部を有する勾配調整部材を介装させ、当該勾配調整部材を垂直壁と斜め天井とに釘にて固定したので、勾配調整部材が垂直壁及び斜め天井から小屋裏部屋内へ露出することがなく、その結果、小屋裏部屋の外観品質（仕上げ品質）を向上させることができるという優れた効果を有する。
【００２２】
請求項２記載の小屋裏部屋構造体は、建物本体部と屋根部との間のスペースに設置され、少なくとも床面に対して水平に配置された水平天井及びこの水平天井に対して斜めに配置された斜め天井を含んで構成された小屋裏部屋構造体において、水平天井と斜め天井との接合端面間の隙間に、両端面の交差角に一致するテーパ形状部を有する勾配調整部材を介装させ、当該勾配調整部材を水平天井と斜め天井に釘にて固定したので、勾配調整部材が斜め天井及び水平天井から小屋裏部屋内へ露出することがなく、その結果、小屋裏部屋の外観品質（仕上げ品質）を向上させることができるという優れた効果を有する。
【００２３】
請求項３記載の本発明に係る小屋裏部屋構造体は、請求項２記載の発明において、水平天井の端部に勾配調整部材を予め固定しておき、斜め天井における水平天井側の端部に組付時に当該勾配調整部材に係止されて斜め天井を組付位置に保持するための係止部材を設けたので、建物本体部と屋根部との間のスペースで行われる小屋裏部屋構造体の施工作業の全体の施工（作業）時間を大幅に短縮することができると共に作業者の作業労力を軽減することができるという優れた効果を有する。
【００２４】
請求項４記載の本発明に係る小屋裏部屋構造体の施工方法は、少なくとも床面に対して垂直に配置された垂直壁と床面に対して平行に配置された水平天井と垂直壁の上端部と水平天井の端部との間に斜めに掛け渡される斜め天井とを含んで構成された小屋裏部屋構造体を、建物本体部と屋根部との間のスペースに設置する際に適用される小屋裏部屋構造体の施工方法において、水平天井の端部に斜め天井の上端部との間の隙間を埋める第１の勾配調整部材を予め固定し、斜め天井の下端部に垂直壁の上端部との間の隙間を埋める第２の勾配調整部材を予め固定すると共に、当該斜め天井の上端部に組付時に前記第１の勾配調整部材に係止される係止部材を予め設定しておき、床面に垂直壁を立設させると共に水平天井を所定の組付位置に保持した後に、係止部材を第１の勾配調整部材に係止させつつ第２の勾配調整部材を垂直壁の上端部にセットすることで斜め天井を垂直壁の上端部と水平天井の端部との間に組付け、その後に各部の本固定を行う方法としたので、施工時間を短縮することができるという優れた効果を有する。
【発明を実施するための最良の形態】
【００２５】
以下、図１〜図２４を用いて、本発明に係る小屋裏部屋構造体の一実施形態について説明する。
【００２６】
まず、図１〜図５を用いて本実施形態に係る小屋裏部屋構造体がどのようなものかを概念的に説明する。
【００２７】
（小屋裏部屋構造体の全体構成の説明）
図２（Ａ）には、ユニット住宅１０の概略構成図が示されている。この図に示されるように、ユニット住宅１０は、基礎１２上に据え付けられた建物本体部としての複数の一階ユニット１４と、一階ユニット１４上に据え付けられた建物本体部としての複数の二階ユニット１６と、二階ユニット１６上に設置された（切妻型の）屋根部１８と、によってその外郭が構成されている。
【００２８】
二階ユニット１６と屋根部１８との間には、図２（Ａ）図示状態で略二等辺三角形状のスペース２０が設けられている。本実施形態では、このスペース２０の中央に、ユニット形状とは異なる異形の左右対称形状とされた小屋裏部屋構造体２２が設置されている。これにより、図２（Ｂ）に示されるように、小屋裏部屋構造体２２の内部に小屋裏空間２４が形成されている。
【００２９】
ここで、上記小屋裏部屋構造体２２の構成要素について概念的な名称を付けることにする。この図において、床面２６に対して左右平行に垂直に立設されているのが垂直壁２８であり、小屋裏部屋構造体２２の壁面を構成する部分である。また、等脚台形の斜辺の位置に配置されているのが斜め天井３０であり、小屋裏部屋構造体２２の屋根の一部を構成する部分である。さらに、等脚台形の上底の位置に配置されているのが水平天井３２であり、小屋裏部屋構造体２２の屋根の他の一部（残り）を構成する部分である。なお、垂直壁２８は、壁下地３４に石膏ボード３６が内張りされて構成されている。同様に、斜め天井３０は、斜め天井下地３８に石膏ボード４０が内張りされて構成されている。さらに、水平天井３２は、水平天井下地４２に石膏ボード４４が内張りされて構成されている。
【００３０】
図３（Ｂ）には、図２（Ｂ）のＡ線矢視部の接合構造（Ａ部納まり）が拡大して示されている。この図に示されるように、斜め天井３０の上端部３０Ａと水平天井３２の幅方向の端部３２Ａとは内側の端縁が線接触するように突き合わされており、このため両者の端面間には断面形状が三角形状の隙間４６が形成されている。そして、この隙間４６に断面形状が三角形状（テーパ形状、楔形状）とされた勾配調整部材としての長尺状の勾配調整木材４８が介装され、釘５０で斜め天井３０の上端部３０Ａ及び水平天井３２の幅方向の端部３２Ａにそれぞれ固定されている。勾配調整木材４８の頂角θ１は、斜め天井３０の上端部３０Ａの端面と水平天井３２の幅方向の端部３２Ａの端面とが交差する角度に一致するように予め設定されている。従って、勾配調整木材４８の一方の側面４８Ａは斜め天井３０の上端部３０Ａの端面に密着されており、又他方の側面４８Ｂは水平天井３２の幅方向の端部３２Ａの端面に密着されている。
【００３１】
また、図４（Ｂ）には、図２（Ｂ）のＢ線矢視部の接合構造（Ｂ部納まり）が拡大して示されている。この図に示されるように、斜め天井３０の下端部３０Ｂと垂直壁２８の上端部２８Ａとは内側の端縁が線接触するように突き合わされており、このため両者の端面間には断面形状が三角形状の隙間５２が形成されている。そして、この隙間５２に断面形状が台形状（テーパ形状、楔形状）とされた勾配調整部材としての長尺状の勾配調整木材５４が介装され、釘５０で斜め天井３０の下端部３０Ｂ及び垂直壁２８の上端部２８Ａにそれぞれ固定されている。勾配調整木材４８の頂角θ２は、斜め天井３０の下端部３０Ｂの端面と垂直壁２８の上端部２８Ａの端面とが交差する角度に一致するように予め設定されている。従って、勾配調整木材５４の一方の側面５４Ａは斜め天井３０の下端部３０Ｂの端面に密着されており、又他方の側面５４Ｂは垂直壁２８の上端部２８Ａの端面に密着されている。
【００３２】
図１には、上述した接合構造を使って組み立てた木造の小屋裏部屋構造体２２の分解斜視図が示されている。
【００３３】
この図に示されるように、小屋裏部屋構造体２２は、矩形枠状に構成されて頂部に配置される水平天井５８の他、各々矩形枠状に構成されて外周部に配置される複数の妻側間仕切り６０及び複数の桁側間仕切り６２を備えている。なお、これらの妻側間仕切り６０及び桁側間仕切り６２が上述した垂直壁２８に相当する部材である。
【００３４】
妻側間仕切り６０の上端部と水平天井５８の小梁との間には、矩形枠状に構成された一又は二以上の妻側傾斜天井６４と三角枠状に構成された左右一対の寄棟妻側傾斜天井６６が斜めに配置されている。同様に、桁側間仕切り６２の上端部と水平天井５８の大梁との間には、各々矩形枠状に構成された一又は二以上の桁側傾斜天井６８と三角枠状に構成された左右一方（又は左右一対）の寄棟桁側傾斜天井７０が斜めに配置されている。これらの妻側傾斜天井６４、寄棟妻側傾斜天井６６、桁側傾斜天井６８、及び寄棟桁側傾斜天井７０が上述した斜め天井３０に相当する部材である。
【００３５】
上述した水平天井５８の妻側の小梁と妻側傾斜天井６４の上端部との突合せ部の隙間（図１では分解しているので符号は省略する）には、水平天井５８の妻側の小梁のスパン長よりも若干長い勾配調整木材７２が介装され、図示しない釘にて双方の梁材に固定されている。なお、勾配調整木材７２の内側の端部は、頂角が双方の梁材の突合せ端面同士が交差する角度に一致するように面取りされている。
【００３６】
以下同様にして、水平天井５８の桁側の大梁と桁側傾斜天井６８の梁材との突合せ部の隙間に勾配調整木材７４が介装及び固定され、妻側間仕切り６０の上端部と妻側傾斜天井６４及び寄棟妻側傾斜天井６６の下端部との突合せ部の隙間に勾配調整木材７６が介装及び固定され、桁側間仕切り６２の上端部と桁側傾斜天井６８及び寄棟桁側傾斜天井７０の下端部との突合せ部の隙間に勾配調整木材７８が介装及び固定され、寄棟妻側傾斜天井６６の斜材と寄棟桁側傾斜天井７０の斜材との突合せ部の隙間に勾配調整木材８０が介装及び固定されている。
【００３７】
なお、上記勾配調整木材７２、７４、７６、７８、８０の断面形状は、三角形状、四角形状、五角形状等、納まりとの関係で最適な多角形状を選択すればよい。つまり、使用する勾配調整木材７２、７４、７６、７８、８０の内側の端部が、その接合相手となる部材の端面同士の成す角度（交差角）に合致するテーパ形状部を有する形状に形成されていればよい（後述する施工方法参照）。
【００３８】
図５には、上記の如くして構成された小屋裏部屋構造体２２の納まりイメージが、小屋裏空間２４内側に視点をおいた状態で示されている。この図に示されるように、各部材に石膏ボード３６、４０、４４が内張りされた状態では、表面に段差等は生じなく、フラットな面の集合体として小屋裏空間２４が構成されている。
【００３９】
（小屋裏部屋構造体の施工方法の説明）
次に、図６〜図２４を用いて、一事例に係る小屋裏部屋構造体の施工方法について手順を追って説明する。なお、以下においては、小屋裏部屋構造体の施工方法として説明するが、捉え方によっては、小屋裏部屋構造体の製造方法として把握することもできる。
【００４０】
図６には、切妻と寄棟とを組み合わせた寄せ切りタイプの小屋裏部屋構造体２２の主な作業工程の流れが示されている。
【００４１】
この図に示されるように、第１作業工程では、小屋裏部屋構造体２２のアッセンブリの製作作業が行われる。この作業は二階ユニット１６を作業場として行われる。つまり、夏季等に小屋裏部屋構造体２２を施工する場合、小屋裏空間２４はかなり高温多湿になるため、作業者保護の観点から、施工作業はできるだけ二階ユニット１６を利用して行うようにし、小屋裏部屋構造体２２の最終的な組立作業のみを小屋裏空間２４で行うことにより、小屋裏空間２４での作業時間を短縮し、作業者への負担を極力軽減させようというものである。
【００４２】
かかる観点から、まず、二階ユニット１６を作業場として、予め小屋裏部屋構造体２２のアッセンブリが製作される。つまり、二階ユニット１６内で、図１に示されるような水平天井５８、妻側間仕切り６０、桁側間仕切り６２、妻側傾斜天井６４、寄棟妻側傾斜天井６６、桁側傾斜天井６８、寄棟桁側傾斜天井７０、勾配調整木材７２、７４、７６、７８、８０、石膏ボードといったすべての部材が寸法も含めて各要素ごとにアッセンブリ化される。
【００４３】
例えば、図７に示されるように、桁側間仕切り６２であれば片面につき３個、左右合わせて合計６個予め用意しておく。また、勾配調整木材７８も桁側間仕切り６２を３個連結したときの長さでカットしておく。図示はしていないが、石膏ボード３６も同様に裁断しておく。
【００４４】
また、図８に示されるように、勾配調整木材も、ＡタイプからＤタイプまで寸法ごとに４種類の台形断面のものを予め用意しておき、裁断だけすればすぐに使えるようにしておく。
【００４５】
勾配調整木材の使い分けは、例えば、図１に示されるような水平天井５８を有する寄せ切りタイプの小屋裏部屋構造体２２の場合、図９に示されるように、桁側傾斜天井６８の上端部と水平天井５８の幅方向の端部との接合部ではＢタイプの勾配調整木材７４が使用され、桁側傾斜天井６８の下端部と桁側間仕切り６２の上端部との接合部ではＡタイプの勾配調整木材７８が使用される。また、図１０に示されるように、寄棟妻側傾斜天井６６と寄棟桁側傾斜天井７０との接合部では、Ｄタイプの勾配調整木材８０が使用される。
【００４６】
さらに、例えば、図１１に示されるように、水平天井５８が無い場合には、隣合う桁側傾斜天井６８の上端部同士の接合部では、Cタイプの勾配調整木材８１が使用される。
【００４７】
なお、上記第１作業工程においては、必要な部材や組み立て方等が一目で解るようにアッセンブリ図引当表が使用される。
【００４８】
第２作業工程では、第１作業工程で製作したアッセンブリが二階ユニット１６から小屋裏空間２４へ荷揚げされると共に、アッセンブリ同士が相互に連結される。この荷揚げ作業は、小屋裏空間２４の床面２６に形成された作業口を使って行われる。
【００４９】
また、アッセンブリ同士の連結というのは、水平天井５８を例にすると、図１２（Ａ）に示される水平天井下地５８Ａに石膏ボード５８Ｂを釘及び接着剤で接合して、図１２（Ｂ）に示されるような水平天井５８を構成し、更に図１２（Ｃ）及び図１３に示されるように、水平天井下地５８Ａの三辺にＢタイプの勾配調整木材７２、７４を釘やステープル８２でそれぞれ固定して、アッセンブリを組み上げることである。
【００５０】
一方、傾斜天井を例にすると、妻側では、図１４（Ａ）に示されるように、妻側傾斜天井６４と左右一対の寄棟妻側傾斜天井６６とを相互に連結した後、図１４（Ｂ）に示されるように、Ａタイプの勾配調整木材７６を組付け、更に妻側傾斜天井６４の上端部に一対の端材８４を取り付ける。
【００５１】
また、桁側では、図１５（Ａ）に示されるように、３個の桁側傾斜天井６８と１個の寄棟桁側傾斜天井７０とを相互に連結して一枚物のパネルとした後、図１５（Ｂ）に示されるように、Ａタイプの勾配調整木材７８を組付け、更に一対の端材８４を取り付ける。勾配調整木材７８は、図１６に示されるように、台座８６を利用して桁側傾斜天井６８を下向きに（即ち、室内側の面が下側となるように）水平に置いて、勾配調整木材７８が桁側傾斜天井６８に対して上下にずれて所定長さ桁側傾斜天井６８よりも下方へ突出するようにして、ステープル８２で取り付けられる。
【００５２】
第３作業工程では、墨打ちが行われる。
【００５３】
第４作業工程では、間仕切りの取付作業が行われる。具体的には、図１７に示されるように、第３作業工程で墨打ちされた桁下地面墨８８に沿って桁側間仕切り６２が取り付けられる。同様に、妻下地面墨９０に沿って妻側間仕切り６０が取り付けられる。なお、本図では、見やすくするために３個の桁側間仕切り６２を仮想線（二点鎖線）で描くに当たって若干離して描いているが、実際には相互に連結されている。以下の図１８等においても適宜同様の描き方をしている。
【００５４】
第５作業工程では、水平天井の取付作業が行われる。具体的には、図１８に示されるように、フローリングの端材等を利用して作られた十字形状の水平天井支え治具９２を寄棟側にセットして、切妻側の妻側間仕切り６０の上端部と水平天井支え治具９２の上端部とに掛け渡すようにして水平天井５８を載せる。なお、図１８及び次に使用する図１９では、水平天井支え治具９２を見やすくするために短めに描いている。
【００５５】
第６作業工程では、傾斜天井の取付作業が行われる。具体的には、図１９に示されるように、アッセンブリ化された妻側傾斜天井６４及び寄棟妻側傾斜天井６６並びにアッセンブリ化された桁側傾斜天井６８及び寄棟桁側傾斜天井７０が、水平天井５８と妻側間仕切り６０、桁側間仕切り６２との間にそれぞれ載置される。
【００５６】
このとき、図２０に示されるように、桁側傾斜天井６８の上端部に取り付けられた一対の端材８４を、既に水平天井５８に固定されている勾配調整木材７４の頂面に載せる（係止させる）ようにして、アッセンブリ化された桁側傾斜天井６８及び寄棟桁側傾斜天井７０が水平天井５８と桁側間仕切り６２との間にセットされる。セットされた状態では、桁側傾斜天井６８の上端部が水平天井５８の勾配調整木材７４の下側の側面に密着状態で当接し、かつ桁側傾斜天井６８及び寄棟桁側傾斜天井７０の下端部に取り付けられた勾配調整木材７８の下側のテーパ面が桁側間仕切り６２の上端部に密着状態で当接される。つまり、端材８４を勾配調整木材７４へのフック及び位置決め手段として用いることにより、桁側傾斜天井６８及び寄棟桁側傾斜天井７０を簡単かつ迅速に所定の組付位置にセットすることができる。
【００５７】
第７作業工程では、各アッセンブリが本固定されると共に、グラスウールの取付作業が行われる。具体的には、本固定については、図２１に示されるように、手順１から手順５までこの順に行われる。まず、手順１で、寄棟妻側傾斜天井６６と寄棟桁側傾斜天井７０の水下部のコーナー同士が固定される。次に、手順２で、寄棟妻側傾斜天井６６と寄棟桁側傾斜天井７０の水上部のコーナー同士が固定される。次に、手順３で、水平天井５８と妻側傾斜天井６４、桁側傾斜天井６８とがそれぞれ固定される。次に、手順４で、水平天井５８と切妻側の妻側間仕切り６０とが固定される。そして最後に、手順５で、Ｃタイプの勾配調整木材８０を隅棟部二箇所にセットして固定する。
【００５８】
図２２に示されるように、グラスウール９４については、水平天井５８及び桁側傾斜天井６８を覆う単位ごとに取り付けられる。このとき、所定枚数ごとに、垂直壁２８に相当する部分の石膏ボード３６への荷重負担を軽減するための吊り木９６が取り付けられる。この吊り木９６で天井を吊ることにより、石膏ボード３６への荷重負担が減らされる。天井側への取付が終了したら、桁側間仕切り６２及び妻側間仕切り６０へグラスウール９４が横貼りされる。なお、この際、グラスウール９４のずり落ちを防止するため、押え木９８が取り付けられる。
【００５９】
第８作業工程では、石膏ボードの貼付け作業が行われる。例えば、図２３に示されるように、妻側間仕切り６０の中央部に石膏ボード３６が釘５０で固定される。その後、予めきめられた所定の順序で石膏ボード３６、４０、４４が固定されていく。なお、このとき、図２４に示されるように、例えば、桁側傾斜天井６８に石膏ボード４０を固定する際には、桁側間仕切り６２側にサンプル用の石膏ボード１００を当てて、桁側傾斜天井６８に取り付ける石膏ボード４０と表面が一致することを確認してから取り付けるようにする。
【００６０】
最後の第９作業工程では、雑巾摺りの取付作業が行われる。
【００６１】
〔本実施形態の作用並びに効果〕
次に、本実施形態の作用並びに効果について説明する。
【００６２】
本実施形態に係る小屋裏部屋構造体２２では、ユニット住宅１０の二階ユニット１６と屋根部１８とのスペース２０に、垂直壁２８、斜め天井３０及び水平天井３２を含んで構成された小屋裏部屋構造体２２を設置するに際して、斜め天井３０の上端部３０Ａと水平天井３２の幅方向の端部３２Ａとの接合端面間の隙間４６（図２（Ｂ）のＡ線矢視部）並びに垂直壁２８の上端部２８Ａと斜め天井３０の下端部３０Ｂとの接合端面間の隙間５２（図２（Ｂ）のＢ線矢視部）に、両端面の交差角θ１、θ２に一致するテーパ形状部を有する勾配調整木材４８、５４を介装し、釘５０で斜め天井３０の上端部３０Ａ及び水平天井３２の幅方向の端部３２Ａ並びに垂直壁２８の上端部２８Ａ及び斜め天井３０の下端部３０Ｂにそれぞれ固定することとしたので、勾配調整木材４８、５４が垂直壁２８や斜め天井３０、水平天井３２の室内側の仕上げ面（小屋裏空間２４の内側）へ露出しない。従って、従来技術のように小屋裏部屋の内面に天井下地ジョイナによる段差等が生じることもない。その結果、仕上げ材等を使った仕上げ面がフラットな面（イメージ的には、前述した図５のような室内仕上げ面となる）で良好に仕上がる。よって、本実施形態に係る小屋裏部屋構造体２２によれば、小屋裏部屋の外観品質（仕上げ品質）を向上させることができる。
【００６３】
また、本実施形態に係る小屋裏部屋構造体２２では、接合部の隙間４６、５２に勾配調整木材４８、５４を介装させたので、施工作業時間を短縮することができる。具体的に説明すると、従来の接合構造及び施工方法による場合、図３（Ａ）に示されるように、水平天井３２の幅方向の端部３２Ａと斜め天井３０の上端部３０Ａとの端面間に隙間４６が形成されても、特に何も施さなかったため、固定具としては長いビス５６で固定する方法を採らざるを得なかった。
【００６４】
しかし、本実施形態では、図３（Ｂ）に示されるように、当該隙間４６にこの隙間４６を埋めるスペーサ的な部材として勾配調整木材４８を介装したので、水平天井３２の幅方向の端部３２Ａ（木材）と勾配調整木材４８とを釘５０で固定すると共に、斜め天井３０の上端部３０Ａ（木材）と勾配調整木材４８とを釘５０で固定することが可能となる。一般に、ビス固定に比べて釘固定の方がエアガンを使用できるのでスピーディーに作業を進めることができる。従って、従来の接合構造・施工方法に比べて、作業時間の大幅な短縮を図ることができる。また、これにより、生産コストを低減することができる。
【００６５】
さらに、本実施形態に係る小屋裏部屋構造体２２では、接合部の隙間４６、５２に勾配調整木材４８、５４を介装させたので、石膏ボード３６の上端部を斜めカットする手法から垂直カットする手法に変更することができる。具体的に説明すると、従来の接合構造及び施工方法による場合、図４（Ａ）に示されるように、垂直壁２８の上端部２８Ａに斜め天井３０の下端部３０Ｂを乗り上げさせ、ビス５６で下側から固定する構造を採っていたため、垂直壁２８の石膏ボード３６を斜め天井３０の石膏ボード４０の位置まで延ばし、かつ石膏ボード３６の上端部３６Ａを屋根勾配に合わせて斜めにカットする必要があった。この斜めカット作業は時間がかかるだけでなく、仕上がり品質に直接影響が出るため、作業自体も難しいものであった。
【００６６】
しかし、本実施形態では、図４（Ｂ）に示されるように、垂直壁２８の上端部２８Ａと斜め天井３０の下端部３０Ｂとを突き合わせ、両者間の隙間５２にスペーサ的な部材として勾配調整木材５４を介装したので、垂直壁２８の上端部２８Ａ（木材）と勾配調整木材５４とをと釘５０で固定すると共に、斜め天井３０の下端部３０Ｂ（木材）と勾配調整木材５４とを釘５０で固定することが可能となる。このため、石膏ボード３６の上端部３６Ａを斜めカットする必要が無くなる。その結果、本実施形態によれば、作業時間の大幅な短縮を図ることができると共に、仕上がり品質を向上させることができる。また、石膏ボード３６の上端部３６Ａを延長する必要がなくなるので、その分、歩留まりも良くなる。さらに、ここでも、従来のビス固定から釘固定に変えることができるので、その点からも作業時間の短縮を図ることができる。
【００６７】
また、本実施形態に係る小屋裏部屋構造体２２では、水平天井３２（図１の構成では、水平天井５８）の幅方向の端部３２Ａと垂直壁２８（図１の構成では、妻側間仕切り６０、桁側間仕切り６２）の上端部２８Ａとの間に、斜め天井３０（図１の構成では、妻側傾斜天井６４、寄棟妻側傾斜天井６６、桁側傾斜天井６８、寄棟妻側傾斜天井７０）を取り付ける際に、予め取り付けておいた端材８４をフック替わりに使用する構造としたので、斜め天井３０を極めて容易に所定の組付位置にセットすることができる。このため、斜め天井３０の組付作業が非常に効率良くなり、高温多湿環境下での作業時間の短縮及び作業労力の軽減に大きく寄与している。
【００６８】
さらに、本実施形態に係る小屋裏部屋構造体２２の施工方法によれば、まず、下準備として、水平天井３２の幅方向の端部３２Ａに、斜め天井３０の上端部３０Ａとの間の隙間４６を埋める第１の勾配調整部材としての勾配調整木材４８を予め固定してお、又斜め天井３０の下端部３０Ｂに、垂直壁２８の上端部２８Ａとの間の隙間５２を埋める第２の勾配調整部材としての勾配調整木材５４を予め固定しておき、更に斜め天井３０の上端部３０Ａに、組付時に水平天井３２の幅方向の端部３２Ａの勾配調整木材４８に係止される係止部材としての端材８４を予め設定し、垂直壁２８を立設させると共に水平天井支え治具９２を用いて床面２６に対して水平に水平天井３２を所定の組付位置に保持し、その後、端材８４を勾配調整木材４８に係止させつつ勾配調整木材５４を垂直壁２８の上端部２８Ａにセットすることにより、斜め天井３０が垂直壁２８の上端部２８Ａと水平天井３２の幅方向の端部３２Ａとの間に位置決めされた状態で組付けられ、その後、各部の本固定を行うようにしたので、斜め天井３０を簡単かつ迅速に組付けることができる。従って、二階ユニット１６と屋根部１８との間のスペース２０での施工時間を大幅に短縮することができる。また、作業労力も軽減される。
【００６９】
〔実施形態の補足説明〕
なお、本実施形態に係る小屋裏部屋構造体２２は収納スペースとして活用することができるのはもとより、小屋裏空間２４の高さをある程度確保できる場合には、居室スペースとしても活用することができる。特に、本実施形態に係る小屋裏部屋構造体２２では、室内の仕上がり品質がとても良いので、居室スペースとして利用するのに好適である。なお、居室スペースとして利用する場合は、床面２６をフローリングにする等の造作が施されるのが好ましい。
【００７０】
また、上述した本実施形態に係る小屋裏部屋構造体２２では、水平天井３２を使用する構造を採用していたが、請求項１記載の本発明には、水平天井３２を有さず斜め天井３０のみで天井が構成された切妻タイプ等の小屋裏部屋構造体も含まれる。さらに言及すると、上述した施工事例では、説明用の事例として好適な寄せ切りタイプの小屋裏部屋構造体２２を挙げたが、この屋根構造を造ることができるということは、当然に切妻タイプ、寄棟タイプの屋根構造にも対応することができることを意味するが、請求項１及び請求項２記載の本発明は、代表的な前記３タイプ以外の屋根構造を除外するものではない。つまり、二階ユニット１６と屋根部１８との間のスペース２０に設置される小屋裏部屋構造体という性質上、あまり複雑な屋根構造は現実には採用されないと予想して上記３タイプを中心に考えただけで、必要に応じて上記３タイプ以外の屋根構造に対応することは事案に応じて可能であるという意味である。
【００７１】
さらに、上述した本実施形態では、ユニット住宅１０に対して本発明を適用したが、これに限らず、ユニット住宅以外の住宅形式の住宅に対して本発明を適用してもよいし、必ずしも用途が住宅である必要はなく、店舗や作業場等に利用されるユニット建物に対して本発明を適用してもよい。さらに言及すると、一般木造住宅に対して本発明を適用しても差し支えない。ただ、ユニット建物に対して本発明を適用すると、予め工場生産される建物ユニットを順次据え付けて構成されるユニット建物に、木造組立形式の小屋裏部屋構造体２２を組み合わせることで、ユニット建物としての自由度が増す（付加価値が増す）という利点がある。
【００７２】
また、勾配調整木材４８、５４等は必ずしもスパン長に一致する長さを有する一本物である必要はなく、数本に分割されていても差し支えない。
【図面の簡単な説明】
【００７３】
【図１】本実施形態に係る小屋裏部屋構造体の全体構成を示す分解斜視図である。
【図２】（Ａ）は図１に示される小屋裏部屋構造体を備えたユニット住宅の概略構成図であり、（Ｂ）は（Ａ）の小屋裏空間の拡大図である。
【図３】（Ｂ）は図２（Ｂ）のＡ線矢視部の接合構造（Ａ部納まり）の拡大図であり、（Ａ）は対比用に示したもので従来構造を用いた場合のＡ部納まりの拡大図である。
【図４】（Ｂ）は図２（Ｂ）のＢ線矢視部の接合構造（Ｂ部納まり）の拡大図であり、（Ａ）は対比用に示したもので従来構造を用いた場合のＢ部納まりの拡大図である。
【図５】本実施形態に係る小屋裏部屋構造体の納まりイメージを示す内部空間側から見た斜視図である。
【図６】本実施形態に係る小屋裏部屋構造体の施工手順を示す作業工程図である。
【図７】第１作業工程における勾配調整木材の裁断要領を説明するための斜視図である。
【図８】予め用意される勾配調整木材の種類を示す表である。
【図９】水平天井と各傾斜天井との間及び各傾斜天井と各間仕切りとの間における勾配調整木材の使用例を示す拡大図である。
【図１０】寄棟妻側傾斜天井と寄棟桁側傾斜天井との間における勾配調整木材の使用例を示す拡大図である。
【図１１】切妻タイプにおいて隣り合う桁側傾斜天井間における勾配調整木材の使用例を示す拡大図である。
【図１２】第２作業工程における水平天井の組付手順を示す斜視図である。
【図１３】図１２に示される勾配調整木材を水平天井に固定する際の要領を示す拡大図である。
【図１４】第２作業工程における妻側傾斜天井の組付手順を示す斜視図である。
【図１５】第２作業工程における桁側傾斜天井の組付手順を示す斜視図である。
【図１６】図１４及び図１５に示される傾斜天井に勾配調整木材を固定する際の要領を示す拡大図である。
【図１７】第４作業工程における間仕切り取付の様子を示す斜視図である。
【図１８】第５作業工程における水平天井取付の様子を示す斜視図である。
【図１９】第６作業工程における傾斜天井取付の様子を示す斜視図である。
【図２０】桁側傾斜天井の取付時の様子を示す側面図である。
【図２１】第７作業工程におけるアッセンブリの本固定の手順を示す斜視図である。
【図２２】第７作業工程におけるグラスウール取付の様子を示す斜視図である。
【図２３】第８作業工程における石膏ボード貼りの様子を示す正面図である。
【図２４】石膏ボードを貼る際の表面位置合わせの様子を示す拡大側面図である。
【図２５】天井下地ジョイナを使った従来例を示す要部拡大図である。
【符号の説明】
【００７４】
１４    一階ユニット（建物本体部）
１６    二階ユニット（建物本体部）
１８    屋根部
２０    スペース
２２    小屋裏部屋構造体
２６    床面
２８    垂直壁
３０    斜め天井
３２    水平天井
４６    隙間
４８    勾配調整木材（勾配調整部材）
５０    釘
５２    隙間
５４    勾配調整木材（勾配調整部材）
５８    水平天井
６０    妻側間仕切り（垂直壁）
６２    桁側間仕切り（垂直壁）
６４    妻側傾斜天井（斜め天井）
６６    寄棟妻側傾斜天井（斜め天井）
６８    桁側傾斜天井（斜め天井）
７０    寄棟桁側傾斜天井（斜め天井）
７２    勾配調整木材（第１の勾配調整部材）
７４    勾配調整木材（第１の勾配調整部材）
７６    勾配調整木材（第２の勾配調整部材）
７８    勾配調整木材（第２の勾配調整部材）
８０    勾配調整木材（勾配調整部材）
８１    勾配調整木材（勾配調整部材）
８４    端材（係止部材）
【図１】
2006028790.tif 000003
【図２】
2006028790.tif 000004
【図３】
2006028790.tif 000005
【図４】
2006028790.tif 000006
【図５】
2006028790.tif 000007
【図６】
2006028790.tif 000008
【図７】
2006028790.tif 000009
【図８】
2006028790.tif 000010
【図９】
2006028790.tif 000011
【図１０】
2006028790.tif 000012
【図１１】
2006028790.tif 000013
【図１２】
2006028790.tif 000014
【図１３】
2006028790.tif 000015
【図１４】
2006028790.tif 000016
【図１５】
2006028790.tif 000017
【図１６】
2006028790.tif 000018
【図１７】
2006028790.tif 000019
【図１８】
2006028790.tif 000020
【図１９】
2006028790.tif 000021
【図２０】
2006028790.tif 000022
【図２１】
2006028790.tif 000023
【図２２】
2006028790.tif 000024
【図２３】
2006028790.tif 000025
【図２４】
2006028790.tif 000026
【図２５】
2006028790.tif 000027